(57)【特許請求の範囲】
【請求項１】
作業対象物のボルト部に螺合され作業終了後に回転されて前記ボルト部から外される吊上げ対象物を吊下げ支持する吊り下げ治具であって、
前記吊上げ対象物に着脱可能に取付けられる内周円環部材と、
前記内周円環部材の外周部に、前記内周円環部材に対して回転可能に取付けられている外周円環部材と、
前記外周円環部材の外周部に一端部が締結されたワイヤと、
前記ワイヤの他端部を保持する保持手段と
を有し、
前記ボルト部から前記吊上げ対象物が外されたときに、前記保持手段により他端部を保持された前記ワイヤにより、前記外周円環部材及び前記内周円環部材を介して前記吊上げ対象物を吊下げ支持する
ことを特徴とする吊り下げ治具。
【請求項２】
前記保持手段は、前記ワイヤが巻き掛けられる巻き取りドラムと、前記巻き取りドラムを前記ワイヤを巻き取る方向に回転付勢するスプリングとを有するスプリングバランサである
ことを特徴とする請求項１記載の吊り下げ治具。
【請求項３】
前記保持手段は、前記ワイヤに代わるチェーンが巻き掛けられる滑車を有するチェーンブロックである
ことを特徴とする請求項１記載の吊り下げ治具。
【請求項４】
前記吊上げ対象物は、前記作業対象物の締め付け及び緩めを行う油圧ジャッキである
ことを特徴とする請求項１、２又は３記載の吊り下げ治具。
【請求項５】
作業対象物のボルト部に螺合され作業終了後に回転されて前記ボルト部から外される吊上げ対象物の落下を防止する落下防止方法であって、
請求項１〜４の何れかに記載の吊り下げ治具を用いて、
前記吊上げ対象物を前記作業対象物のボルト部に螺合させて取り付けるとともに、前記吊上げ対象物に前記内周円環部材を取付け、
前記作業対象物に対する前記吊上げ対象物による作業の終了後に、前記吊上げ対象物及び内周円環部材を回転させ、前記吊上げ対象物を前記ボルト部から外し、前記ワイヤにより、前記外周円環部材及び前記内周円環部材を介して前記吊上げ対象物を吊下げ支持させる
ことを特徴とする落下防止方法。
【発明の詳細な説明】
【技術分野】
【０００１】
本発明は、ワイヤにより吊上げ対象物を吊下げ支持する吊り下げ治具及び落下防止方法に関し、より詳しくは、作業対象物のボルト部に螺合され作業終了後に回転されてボルト部から外される吊上げ対象物を回転可能に保持して吊下げ支持する吊り下げ治具及び落下防止方法に関する。
【背景技術】
【０００２】
従来、特許文献１に記載された油圧ジャッキのように、作業対象物に取り付けられ作業終了後に作業対象物から外される機材がある。このような機材は、作業対象物（特許文献１では、オープンシールド機）に対する作業の終了後に、作業対象物から外されて撤去される。
【０００３】
造船工程においても、ディーゼルエンジンの動力伝達フランジなどの作業対象物に油圧ジャッキが取り付けられる。この油圧ジャッキは、動力伝達フランジを締結するボルトの締め付け及び緩め作業の終了後に、回転されてディーゼルエンジンの動力伝達フランジなどから外されて撤去される。
【先行技術文献】
【特許文献】
【０００４】
【特許文献１】特開２０２０−９４４４４号公報
【発明の概要】
【発明が解決しようとする課題】
【０００５】
ところで、作業対象物に取り付けられる油圧ジャッキなどの機材は、重量が数十ｋｇもあり、作業対象物から外されたときには、人力で保持することは極めて困難である。
【０００６】
特に、油圧ジャッキなどの機材が、作業対象物から水平に又は下方に向けて突設されたボルト部に取り付けられている場合には、油圧ジャッキなどの機材を螺旋回転させて取り外すときに、ボルト部の先端から外れた瞬間に直ちに落下に繋がるので、極めて危険である。
【０００７】
また、取り付け位置が作業者の身長に近い高さであることも多いために、より保持が困難であり、落下させてしまう虞がある。重量が数十ｋｇもある機材が落下すると、付近の作業員の身体及び人命の危機となる。
【０００８】
そこで、本発明は、このような従来事情に鑑みてなされたものであり、作業対象物のボルト部に螺合され作業終了後に回転されてボルト部から外される吊上げ対象物を回転可能に保持して吊下げ支持する吊り下げ治具及び落下防止方法を提供することを課題とする。
【０００９】
また、本発明のその他の課題は、以下の記載によって明らかになる。
【課題を解決するための手段】
【００１０】
上記課題は以下の発明によって解決される。
【００１１】
（請求項１）
作業対象物のボルト部に螺合され作業終了後に回転されて前記ボルト部から外される吊上げ対象物を吊下げ支持する吊り下げ治具であって、
前記吊上げ対象物に着脱可能に取付けられる内周円環部材と、
前記内周円環部材の外周部に、前記内周円環部材に対して回転可能に取付けられている外周円環部材と、
前記外周円環部材の外周部に一端部が締結されたワイヤと、
前記ワイヤの他端部を保持する保持手段と
を有し、
前記ボルト部から前記吊上げ対象物が外されたときに、前記保持手段により他端部を保持された前記ワイヤにより、前記外周円環部材及び前記内周円環部材を介して前記吊上げ対象物を吊下げ支持する
ことを特徴とする吊り下げ治具。
（請求項２）
前記保持手段は、前記ワイヤが巻き掛けられる巻き取りドラムと、前記巻き取りドラムを前記ワイヤを巻き取る方向に回転付勢するスプリングとを有するスプリングバランサである
ことを特徴とする請求項１記載の吊り下げ治具。
（請求項３）
前記保持手段は、前記ワイヤに代わるチェーンが巻き掛けられる滑車を有するチェーンブロックである
ことを特徴とする請求項１記載の吊り下げ治具。
（請求項４）
前記吊上げ対象物は、前記作業対象物の締め付け及び緩めを行う油圧ジャッキである
ことを特徴とする請求項１、２又は３記載の吊り下げ治具。
（請求項５）
作業対象物のボルト部に螺合され作業終了後に回転されて前記ボルト部から外される吊上げ対象物の落下を防止する落下防止方法であって、
請求項１〜４の何れかに記載の吊り下げ治具を用いて、
前記吊上げ対象物を前記作業対象物のボルト部に螺合させて取り付けるとともに、前記吊上げ対象物に前記内周円環部材を取付け、
前記作業対象物に対する前記吊上げ対象物による作業の終了後に、前記吊上げ対象物及び内周円環部材を回転させ、前記吊上げ対象物を前記ボルト部から外し、前記ワイヤにより、前記外周円環部材及び前記内周円環部材を介して前記吊上げ対象物を吊下げ支持させる
ことを特徴とする落下防止方法。
【発明の効果】
【００１２】
本発明によれば、作業対象物のボルト部に螺合され作業終了後に回転されてボルト部から外される吊上げ対象物を回転可能に保持して吊下げ支持する吊り下げ治具及び落下防止方法を提供することができる。
【図面の簡単な説明】
【００１３】
【図１】実施形態に係る落下防止方法を実施するための実施形態に係る吊り下げ治具を示す正面図及び断面図
【図２】実施形態に係る吊り下げ治具の円環部材の正面図（ａ）及び縦断面図（ｂ）
【図３】実施形態に係る吊り下げ治具が吊上げ対象物に取り付けられた状態を示す縦断面図
【図４】実施形態に係る吊り下げ治具の保持手段を示す一部破断斜視図
【発明を実施するための形態】
【００１４】
以下、本発明に係る実施の形態を図面を用いて説明する。
【００１５】
図１は、実施形態に係る落下防止方法を実施するための実施形態に係る吊り下げ治具を示す正面図及び断面図である。
【００１６】
この吊り下げ治具は、この実施形態では、図１に示すように、作業対象物であるディーゼルエンジンの動力伝達フランジ１０１から水平に突設されたボルト部１０２に螺合され、作業終了後に回転されてボルト部１０２から外される吊上げ対象物である油圧ジャッキ１０３を吊下げ支持する治具である。
なお、作業対象物は動力伝達フランジ１０１に限定されず、吊上げ対象物は油圧ジャッキ１０３に限定されない。作業対象物には、船舶のような大きな構造物の製造過程において、大型のボルトの締め付け及び緩め等の作業がなされるあらゆる部材が該当する。吊上げ対象物には、船舶のような大きな構造物の製造過程において、作業対象物に対して搬送や締め付け及び緩め等の作業を行うあらゆる機材が該当する。
【００１７】
図２は、実施形態に係る吊り下げ治具の円環部材の正面図（ａ）及び縦断面図（ｂ）である。
【００１８】
この吊り下げ治具は、図２（ａ）（ｂ）に示すように、油圧ジャッキ１０３に取付けられる内周円環部材１を有している。内周円環部材１は、油圧ジャッキ１０３の外周部分に、着脱可能に取付けられる。内周円環部材１は、金属等の堅牢な材料によって、円環状に構成されている。内周円環部材１の内周端部の両縁部には、内方に向けた鍔状のストッパリング１ａ、１ｂが設けられている。一方のストッパリング１ｂは、内周円環部材１に対して複数のボルト１ｃによって固定されており、ボルト１ｃを外すことによって内周円環部材１から外される。
【００１９】
内周円環部材１を油圧ジャッキ１０３の外周部分に取付けるには、内周円環部材１から一方のストッパリング１ｂを外し、油圧ジャッキ１０３を内周円環部材１内に挿入してから、一方のストッパリング１ｂを内周円環部材１に複数のボルト１ｃの締め付けにより固定する。
【００２０】
内周円環部材１の外周部には、外周円環部材３が、ベアリング２を介して、内周円環部材１に対して回転可能に取付けられている。外周円環部材３は、金属等の堅牢な材料によって、円環状に構成されている。内周円環部材１は、内周部にストッパリング１ａ、１ｂが設けられていることにより、油圧ジャッキ１０３の空転及び脱落を防止しており、外周部にベアリング２が設けられていることにより、外周円環部材３が停止した状態で、油圧ジャッキ１０３とともに回転されることができる。
【００２１】
外周円環部材３は、外周部に、ワイヤ４の一端部（下端部）４ａが締結されている。外周円環部材３の外周部には、ワイヤ締結部３ａが設けられており、このワイヤ締結部３ａにワイヤ４の一端部（下端部）４ａが締結されている。
【００２２】
ワイヤ４の他端部（上端部）４ｂは、図１に示すように、上方に設置された保持手段５によって保持されている。この実施形態では、保持手段５は、吊り下げフック６である。吊り下げフック６は、ワイヤ４の他端部（上端部）４ｂに取り付けられており、図示しない上方の吊り下げ部に掛合される。
【００２３】
図３は、実施形態に係る吊り下げ治具が吊上げ対象物に取り付けられた状態を示す縦断面図である。
【００２４】
この実施形態において、図３に示すように、作業対象物は、ディーゼルエンジンの動力伝達フランジ１０１であり、重量は数トン（ｔ）から数十トン（ｔ）に及ぶ。吊上げ対象物は、油圧ジャッキ１０３であり、動力伝達フランジ１０１を締結するボルト１０２の締め付け及び緩めを行う。油圧ジャッキ１０３の重量は、数十ｋｇである。油圧ジャッキ１０３は、全体として略円盤形状に構成されており、中央部分に中心軸に沿ってボルト孔１０４が設けられている。ボルト孔１０４の内周面には、ネジ山（雌ネジ）が形成されている。この油圧ジャッキ１０３は、動力伝達フランジ１０１から水平に突設されたボルト部１０２がボルト孔１０４に螺合されて、動力伝達フランジ１０１の側面部に取り付けられる。油圧ジャッキ１０３と動力伝達フランジ１０１との間には、必要に応じてスペーサ１０５を配置することができる。
【００２５】
実施形態に係る落下防止方法においては、まず、図３に示すように、油圧ジャッキ１０３を動力伝達フランジ１０１から水平に突設されたボルト部１０２に螺合させて取り付けるとともに、油圧ジャッキ１０３に内周円環部材１を取付ける。内周円環部材１は、ボルト部１０２に取り付けられる前の油圧ジャッキ１０３に予め取付けておくことが好ましい。
【００２６】
次に、動力伝達フランジ１０１に対する油圧ジャッキ１０３による締め付け及び緩め作業の終了後に、動力伝達フランジ１０１を締結するボルトの締め付けがされたならば、油圧ジャッキ１０３及び内周円環部材１を回転させ、油圧ジャッキ１０３をボルト部１０２から外す。内周円環部材１は、外周円環部材３に対して回転可能であるので、内周円環部材１が回転されたとき、外周円環部材３はワイヤ４とともに停止されたままとなる。
【００２７】
油圧ジャッキ１０３は、ボルト部１０２から外れたとき、外周円環部材３及び内周円環部材１を介して、ワイヤ４により吊下げ支持される。したがって、油圧ジャッキ１０３に対する人力による保持が失われても、油圧ジャッキ１０３が落下することがない。
【００２８】
このように、吊り下げ治具は、ディーゼルエンジンの動力伝達フランジ１０１を締結するボルトの締め付け及び緩め作業の終了後に、回転されてボルト部１０２から油圧ジャッキ１０３が外されたときに、ワイヤ４により、外周円環部材３及び内周円環部材１を介して油圧ジャッキ１０３を吊下げ支持し、油圧ジャッキ１０３の落下を防止する。
【００２９】
この吊り下げ治具は、油圧ジャッキ１０３のように数十ｋｇもの重量を有する吊上対象物を吊下げ支持する場合にも、また、取り付け位置が作業者の身長に近い高さである場合にも、安定して安全に吊下げ支持することができるので、吊上対象物の揺動や落下により付近の作業員の身体及び人命の危機が生じることを防止することができる。
【００３０】
この吊り下げ治具において、保持手段５は、上述した吊り下げフック６に限定されない。保持手段５は、ワイヤ４が巻き掛けられる巻き取りドラム及び巻き取りドラムをワイヤ４を巻き取る方向に回転付勢するスプリングを有するスプリングバランサや、ワイヤ４に代わるチェーンが巻き掛けられる滑車を有するチェーンブロックなどとすることができる。
【００３１】
スプリングバランサは、図４に示すように、外筐体９を有して構成されている。外筐体９の上部には、吊り下げフック６が取り付けられている。外筐体９内には、巻き取りドラム７が、水平に支持された支軸によって回転可能に軸支されている。巻き取りドラム７は、円錐形状に構成され、中心軸回りに回転可能となっている。巻き取りドラム７の外周面（円錐面）には、ワイヤ４が巻き掛かる位置を規定するための案内溝が形成されている。案内溝は、螺旋状の１本の溝であり、巻き取りドラム７の中心軸回りを巡って、巻き取りドラム７の小径部から大径部に亘って形成されている。
【００３２】
ワイヤ４は、始端部が巻き取りドラム７の大径部に固定され、案内溝内に巻き掛けられて巻き取りドラム７の中心軸回りを巡り、巻き取りドラム７の小径部から、外筐体９の下部に設けられた引出孔９ａから外筐体９の外方に引き出されている。
【００３３】
巻き取りドラム７を、ワイヤ４が巻き取られる方向に回転付勢しているスプリング８は、バネ鋼により形成されたぜんまいバネ（渦巻きバネ）であり、一端部が巻き取りドラム７の大径部に固定され、他端部が外筐体９内に固定されている。
【００３４】
ワイヤ４の一端部（下端部）４ａが下方に引っ張られて、ワイヤ４が巻き取りドラム７から巻き出されるにしたがって、スプリング８が変位されてゆき、ワイヤ４を巻き取る方向の回転付勢力が強くなってゆく。ワイヤ４は、巻き取りドラム７から巻き出されるにしたがって、巻き取りドラム７から離れる位置が小径部から大径部に移ってゆくから、ワイヤ４が巻き取りドラム７に作用させる回転モーメントは、大きくなってゆく。したがって、ワイヤ４が引き出された長さに拘わらず、スプリング８による回転付勢力とワイヤ４が巻き取りドラム７に作用させる回転モーメントとが釣り合い、外筐体９から引き出されたワイヤ４が上方に引き上げられる力は常に一定になる。
【００３５】
スプリング８によるワイヤ４の引き上げ力は、スプリング８の他端部の固定位置を変更することによって調整することができる。スプリング８によるワイヤ４の引き上げ力は、油圧ジャッキ１０３、内周円環部材１、外周円環部材３及びワイヤ４の引き出し部分の合計重量と釣り合うように調整しておくことが好ましい。
【００３６】
保持手段５としてスプリングバランサを用いた吊り下げ治具においては、ディーゼルエンジンの動力伝達フランジ１０１を締結するボルトの締め付け及び緩め作業の終了後に、回転されてボルト部１０２から油圧ジャッキ１０３が外されたときに、油圧ジャッキ１０３に対する保持が失われても、油圧ジャッキ１０３、内周円環部材１、外周円環部材３及びワイヤ４の引き出し部分の合計重量と釣り合う引き上げ力によってワイヤ４が引き上げられているので、油圧ジャッキ１０３は、上下動せず、まして落下することはない。
【００３７】
この吊り下げ治具は、油圧ジャッキ１０３のように数十ｋｇもの重量を有する吊上対象物を吊下げ支持する場合に、また、取り付け位置が作業者の身長に近い高さである場合にも、油圧ジャッキ１０３が落下することがなく、安定して安全に吊下げ支持することができる。したがって、吊上対象物の揺動や落下により付近の作業員の身体及び人命の危機が生じることを防止することができる。
【００３８】
チェーンブロックは、外筐体内に複数の滑車を内装して構成されている。外筐体は、上方の吊り下げ部により係止される。外筐体内には、複数の滑車が、水平に支持された支軸によって回転可能に軸支されている。複数の滑車には、ワイヤ４に代わるチェーンが巻き掛けられている。
【００３９】
チェーンは、始端部が固定部に係止され、複数の滑車の中心軸回りを巡り、終端側が外筐体から外方に引き出されている。チェーンの終端部（下端部）が下方に引っ張られると、この引っ張り力は、複数の滑車の作用によって減殺される。したがって、チェーンの始端部が固定部を引っ張る力は、チェーンの終端部（下端部）が下方に引っ張られる力よりも小さい。
【００４０】
保持手段５としてチェーンブロックを用いた吊り下げ治具においては、ディーゼルエンジンの動力伝達フランジ１０１を締結するボルトの締め付け及び緩め作業の終了後に、回転されてボルト部１０２から油圧ジャッキ１０３が外されたときに、油圧ジャッキ１０３に対する保持が失われても、チェーンにより、外周円環部材３及び内周円環部材１を介して油圧ジャッキ１０３を吊下げ支持し、油圧ジャッキ１０３の落下を防止する。
【００４１】
この吊り下げ治具は、油圧ジャッキ１０３のように数十ｋｇもの重量を有する吊上対象物を吊下げ支持する場合にも、また、取り付け位置が作業者の身長に近い高さである場合にも、安定して安全に吊下げ支持することができるので、吊上対象物の揺動や落下により付近の作業員の身体及び人命の危機が生じることを防止することができる。
【００４２】
なお、本発明に係る吊り下げ治具は、内周円環部材１を油圧ジャッキ１０３に一体化させ、または、固着させて、ワイヤ締結部３ａを備えて吊り下げ機能を有する油圧ジャッキとして構成してもよい。
【００４３】
また、本発明に係る吊り下げ治具及び落下防止方法は、特に、油圧ジャッキなどの機材が、作業対象物から水平に又は下方に向けて突設されたボルト部に取り付けられている場合に特に顕著な効果を発揮するがこれに限定されず、水平に又は下方以外に向けて突設されたボルト部であっても、落下に繋がる恐れがある場合あるため有用である。
【００４４】
上述の実施形態中に示した大きさや重量等に関する数値及び材料名は、例示であって、何ら本発明を限定するものではない。本発明は、これら数値及び材料名には限定されないものとして解釈される。
【符号の説明】
【００４５】
１  内周円環部材
１ａ、１ｂ  ストッパリング
１ｃ  ボルト
２  ベアリング
３  外周円環部材
３ａ  ワイヤ締結部
４  ワイヤ
４ａ  一端部（下端部）
４ｂ  他端部（上端部）
５  保持手段
６  吊り下げフック
７  巻き取りドラム
８  スプリング
９  外筐体
９ａ  引出孔
１０１  動力伝達フランジ
１０２  ボルト部
１０３  油圧ジャッキ
１０４  ボルト孔
１０５  スペーサ
【要約】
【課題】作業対象物のボルト部に螺合され作業終了後に回転されてボルト部から外される吊上げ対象物を回転可能に保持して吊下げ支持する吊り下げ治具及び落下防止方法を提供すること。
【解決手段】作業対象物のボルト部１０２に螺合され作業終了後に回転されてボルト部１０２から外される吊上げ対象物を吊下げ支持する吊り下げ治具であって、吊上げ対象物に着脱可能に取付けられる内周円環部材１と、内周円環部材１の外周部に、内周円環部材１に対して回転可能に取付けられている外周円環部材３と、外周円環部材３の外周部に一端部４ａが締結されたワイヤ４と、ワイヤ４の他端部４ｂを保持する保持手段５とを有し、ボルト部１０２から吊上げ対象物が外されたときに、保持手段５により他端部４ｂを保持されたワイヤ４により、外周円環部材３及び内周円環部材１を介して吊上げ対象物を吊下げ支持することを特徴とする吊り下げ治具。
【選択図】図１【図１】
0006878749.tif 000002
【図２】
0006878749.tif 000003
【図３】
0006878749.tif 000004
【図４】
0006878749.tif 000005